(57)【要約】      （修正有）【課題】凸面状ミラー自体が嵩張ったり、重量が増すことのないものとし、Ｌ字路等のコーナー部の直交した二壁面の天井との間に隙間が生じないように取り付けることができ、さらに凸面状ミラー側には取り付けのための加工が一箇所でよく、さらに取り付けた後も上下方向に少し移動させることができる凸面状ミラーの取付け構造を提供する。【解決手段】八分の一球面体の凸面を鏡面とした球面板１からなる凸面状ミラーの三弧状端辺１ｂ、１ｃのうちの一弧状端辺寄りの中央部に引張コイルばね３の一端を係止し、二壁面Ｗａ、Ｗｂが直交したコーナー部に、これら二壁面Ｗａ、Ｗｂを跨ぐようにして取り付けられる取付具の支持部材２に、引張コイルばね３の他端をバネ付勢を得た状態で係止し、凸面状ミラーの三弧状端辺１ｂ、１ｃの他の二弧状端辺１ｂ、１ｃを二壁面Ｗａ、Ｗｂに接触させるようにしている。【選択図】図２
0003191403.tif 000002
【実用新案登録請求の範囲】
【請求項１】
八分の一球面体の凸面を鏡面とした球面板（１）からなる凸面状ミラー（Ａ）の三弧状端辺（１ａ、１ｂ、１ｃ）のうちの一弧状端辺（１ａ）寄りの中央部に引張コイルばね（３）の一端を係止し、二壁面（Ｗａ、Ｗｂ）が直交したコーナー部に、これら二壁面（Ｗａ、Ｗｂ）を跨ぐようにして取り付けられる取付具（Ｂ）の支持部材（２）に、前記引張コイルばね（３）の他端をバネ付勢を得た状態で係止し、前記凸面状ミラー（Ａ）の三弧状端辺（１ａ、１ｂ、１ｃ）の他の二弧状端辺（１ｂ、１ｃ）を前記二壁面（Ｗａ、Ｗｂ）に接触させるようにしていることを特徴とする凸面状ミラーの取付け構造。
【請求項２】
前記凸面状ミラー（Ａ）は、球面板（１）を合成樹脂板からなるものとしており、一弧状端辺（１ａ）寄りの中央部に係止孔（ｈ１ ）を設けたものとしていることを特徴とする請求項１記載の凸面状ミラーの取付け構造。
【請求項３】
前記凸面状ミラー（Ａ）は、一弧状端辺（１ａ）に外向き、または内向きのフランジ（５）を設けたものとしていることを特徴とする請求項１記載の凸面状ミラーの取付け構造。
【請求項４】
前記支持部材（２）は、コーナー部の直交した二壁面（Ｗａ、Ｗｂ）を跨ぐようにして、これら二壁面（Ｗａ、Ｗｂ）に接する当て片（２ａ、２ａ）を設け、これら当て片（２ａ、２ａ）間に支持片（２ｂ）を設けたものとし、さらにこの支持片（２ｂ）に引張コイルばね（３）の係止孔（ｈ２ ）を設けたものとしていることを特徴とする請求項２記載の凸面状ミラーの取付け構造。
【請求項５】
前記支持部材（２）は、長尺板を略く字状に９０°折り曲げて当て片（２ａ、２ａ）とし、この略く字状の当て片（２ａ、２ａ）間に掛け渡すように支持片（２ｂ）を設けたものとし、この支持片（２ｂ）の下端辺寄りの中央部に引張コイルばね（３）の係止孔（ｈ２ ）を設けたものとしていることを特徴とする請求項２記載の凸面状ミラーの取付け構造。
【請求項６】
前記支持部材（２）は、長尺板の両端を内側に１３５°折り曲げて、その折り曲げた部分を当て片（２ａ、２ａ）とし、折り曲げていない部分を支持片（２ｂ）としたものとし、この支持片（２ｂ）の下端辺寄りの中央部に引張コイルばね（３）の係止孔（ｈ２ ）を設けたものとしていることを特徴とする請求項２記載の凸面状ミラーの取付け構造。
【請求項７】
前記支持部材（２）は、長尺板を略く字状に９０°折り曲げて当て片（２ａ、２ａ）とし、この略く字状の当て片（２ａ、２ａ）の下端辺から張り出すようにした支持片（２ｂ）を設けたものとし、この支持片（２ｂ）の端辺寄りの中央部に引張コイルばね（３）の係止孔（ｈ２ ）を設けたものとしていることを特徴とする請求項２記載の凸面状ミラーの取付け構造。
【請求項８】
前記引張コイルばね（３）は、一端に前記凸面状ミラー（Ａ）の球面板（１）の係止孔（ｈ１ ）に係止されるフック（３ａ）を設け、他端に前記支持部材（２）の支持片（２ｂ）の係止孔（ｈ２ ）に係止されるフック（３ｂ）を設けたものとしていることを特徴とする請求項４〜７の何れかに記載の凸面状ミラーの取付け構造。
【請求項９】
前記引張コイルばね（３）のフック（３ａ）は、凸面状ミラー（Ａ）の球面板（１）の係止孔（ｈ１ ）に係止部材（４）を介在させて係止するようにしていることを特徴とする請求項８記載の凸面状ミラーの取付け構造。
【請求項１０】
前記係止部材（４）は、頭部（４ａ）の中央に軸部（４ｂ）を突設したものとし、この軸部（４ｂ）の先端に係止孔（ｈ３ ）を設けたものとしており、凸面状ミラー（Ａ）の球面板（１）の係止孔（ｈ１ ）に軸部（４ｂ）を通して、この凸面状ミラー（Ａ）の球面板（１）を頭部（４ａ）で止め、軸部（４ｂ）の先端の係止孔（ｈ３ ）に引張コイルばね（３）のフック（３ａ）を係止するようにしていることを特徴とする請求項９記載の凸面状ミラーの取付け構造。
【考案の詳細な説明】
【技術分野】
【０００１】
この考案は、学校、病院、ホテル、ショッピングセンターなどの公共施設や商業施設、工場、事務所等における通路、特にＬ字路等の二壁面が直交したコーナー部の上方に取り付けられる凸面状ミラーの取付け構造に関するものである。
【背景技術】
【０００２】
従来、前記Ｌ字路等の二壁面が直交したコーナー部の上方には、衝突防止、危険予知、防犯などのために、八分の一球面からなる凸面状ミラーが取り付けられている。
【０００３】
このような凸面状ミラーは、図７、８に示したように、八分の一球面体１１（球面体をその球心を中心として８等分したもの）の凸面１１ａを鏡面としたものとしている。そして、同図に示したように、この八分の一球面体１１の二側面を、前記Ｌ字路等のコーナー部の直交した二壁面Ｗａ、Ｗｂに両面接着テープ１２で接着している。さらに、前記八分の一球面体１１の天面１１ｂの端辺近くに設けた取付フランジ１３を、前記コーナー部の二壁面Ｗａ、Ｗｂにネジ止めして取り付けたものとしている（非特許文献１）。
【０００４】
さらに、このような凸面状ミラーは、図９〜１１に示したように、前八分の一球面体の凸面を鏡面とした球面板２１としており、この八分の一球面板２１を取付具２２を用いて前記コーナー部の二壁面Ｗａ、Ｗｂに取り付けたものとしている。前記球面板２１は、上端辺２１ａ寄りの中央部に係止孔２３を設け、下角部２１ｂの内側に面接着テープ２４の片方２４ａを設けたものとしている。前記取付具２２は、長尺基板の中間部を略直角に折り曲げて横長基部２５ａと縦長基部２５ｂとし、横長基部２５ａの先端にフック２６を形成し、縦長基部２５ｂの両側に取付フランジ２７を突設し、さらに縦長基部２５ｂの下部を、横長基部２５ａの下方に位置するように適宜の角度に折り曲げて支持部２５ｃとし、この支持部２５ｃの先端に前記面接着テープ２４のもう片方２４ｂを設けたものとしている。そして、同図に示したように、前記取付具２２の取付フランジ２７を前記二壁面Ｗａ、Ｗｂにネジ止めし、前記球面板２１の上端辺２１ａ寄りの中央部に設けた係止孔２３に、取付具２２のフック２６を引っ掛け、前記球面板２１の下角部２１ｂの面接着テープ２４の片方２４ａを、取付具２２の支持部２５ｃの先端の面接着テープ２４のもう片方２４ｂに接着したものとしている（非特許文献２）。
【先行技術文献】
【特許文献】
【０００５】
【非特許文献１】クォータードームミラー  ＱＤ７０  取扱説明書（コミー株式会社）、〔平成２６年３月２４日検索〕、インターネット＜http://www.komy.co.jp/wordpress/wp-content/uploads/2009/01/qd70-1012.pdf＞
【非特許文献２】ラミコーナー  ＬＣ７  取扱説明書（コミー株式会社）、〔平成２６年３月２４日検索〕、インターネット＜http://www.komy.co.jp/wordpress/wp-content/uploads/2008/12/lc7-1012.pdf l ＞
【考案の概要】
【考案が解決しようとする課題】
【０００６】
しかしながら、非特許文献１に示された従来の凸面状ミラーの取付け構造では、凸面状ミラーとして、八分の一球面体１１の凸面１１ａを鏡面としたものとしているため、凸面状ミラー自体が嵩張ったり、重量が増すため、取り付け難かったり、落下の危険性があるため、前記Ｌ字路等のコーナー部の直交した二壁面Ｗａ、Ｗｂの上方に取り付けるのには好ましくないという課題を有していた。
【０００７】
そして、非特許文献１に示された従来の凸面状ミラーの取付け構造では、前記球面体１１の天面１１ｂの端辺近くに設けた取付フランジ１３を、前記コーナー部の二壁面Ｗａ、Ｗｂにネジ止めして取り付けたものとしているため、その天面１１ｂと、前記コーナー部の二壁面Ｗａ、Ｗｂの上方の天井（図示せず）との間に隙間が生じてしまい、この隙間に塵や埃が入り込んで、前記球面体１１の天面１１ｂに塵や埃が溜まって汚れてしまうという課題を有していた。
【０００８】
さらに、非特許文献２に示された従来の凸面状ミラーの取付け構造では、前記球面板２１に係止孔２３を設けたり、面接着テープ２４を設けたりしているため、凸面状ミラー側にこれら二箇所の加工が必要となり、それらの加工に手間がかかり、またこれら二箇所で取り付けているため、凸面状ミラーの取り付けが簡単に行なえないという課題を有していた。
【０００９】
また、非特許文献２に示された従来の凸面状ミラーの取付け構造では、二箇所で取り付けているため、一度取り付けてしまうと、上下方向にまったく移動させることができず、ミラーの反射角度の微調整をすることができないという課題を有していた。
【００１０】
そこで、この考案は、上記従来の課題を解決することを目的としており、凸面状ミラー自体が嵩張ったり、重量が増すことのないものとし、Ｌ字路等のコーナー部の直交した二壁面の天井との間に隙間が生じないように取り付けることができ、さらに凸面状ミラー側には取り付けのための加工が一箇所でよく、さらに取り付けた後も上下方向に少し移動させることができる凸面状ミラーの取付け構造を提供することを目的としてなされたものである。
【課題を解決するための手段】
【００１１】
そのため、この考案の凸面状ミラーの取付け構造は、八分の一球面体の凸面を鏡面とした球面板１からなる凸面状ミラーＡの三弧状端辺１ａ、１ｂ、１ｃのうちの一弧状端辺１ａ寄りの中央部に引張コイルばね３の一端を係止し、二壁面Ｗａ、Ｗｂが直交したコーナー部に、これら二壁面Ｗａ、Ｗｂを跨ぐようにして取り付けられる取付具Ｂの支持部材２に、前記引張コイルばね３の他端をバネ付勢を得た状態で係止し、前記凸面状ミラーＡの三弧状端辺１ａ、１ｂ、１ｃの他の二弧状端辺１ｂ、１ｃを前記二壁面Ｗａ、Ｗｂに接触させるようにしている。
【００１２】
そして、この考案の凸面状ミラーの取付け構造において、前記凸面状ミラーＡは、球面板１を合成樹脂板からなるものとしており、一弧状端辺１ａ寄りの中央部に係止孔ｈ１ を設けたものとしている。
【００１３】
また、この考案の凸面状ミラーの取付け構造において、前記凸面状ミラーＡは、一弧状端辺１ａに外向き、または内向きのフランジ５を設けたものとしている。
【００１４】
さらに、この考案の凸面状ミラーの取付け構造において、前記支持部材２は、コーナー部の直交した二壁面Ｗａ、Ｗｂを跨ぐようにして、これら二壁面Ｗａ、Ｗｂに接する当て片２ａ、２ａを設け、これら当て片２ａ、２ａ間に支持片２ｂを設けたものとし、さらにこの支持片２ｂに引張コイルばね３の係止孔ｈ２ を設けたものとしている。
【００１５】
また、この考案の凸面状ミラーの取付け構造において、前記支持部材２は、長尺板を略く字状に９０°折り曲げて当て片２ａ、２ａとし、この略く字状の当て片２ａ、２ａ間に掛け渡すように支持片２ｂを設けたものとし、この支持片２ｂの下端辺寄りの中央部に引張コイルばね３の係止孔ｈ２ を設けたものとしている。
【００１６】
さらに、この考案の凸面状ミラーの取付け構造において、前記支持部材２は、長尺板の両端を内側に１３５°折り曲げて、その折り曲げた部分を当て片２ａ、２ａとし、折り曲げていない部分を支持片２ｂとしたものとし、この支持片２ｂの下端辺寄りの中央部に引張コイルばね３の係止孔ｈ２ を設けたものとしている。
【００１７】
また、この考案の凸面状ミラーの取付け構造において、前記支持部材２は、長尺板を略く字状に９０°折り曲げて当て片２ａ、２ａとし、この略く字状の当て片２ａ、２ａの下端辺から張り出すようにした支持片２ｂを設けたものとし、この支持片２ｂの端辺寄りの中央部に引張コイルばね３の係止孔ｈ２ を設けたものとしている。
【００１８】
さらに、この考案の凸面状ミラーの取付け構造において、前記引張コイルばね３は、一端に前記凸面状ミラーＡの球面板１の係止孔ｈ１ に係止されるフック３ａを設け、他端に前記支持部材２の支持片２ｂの係止孔ｈ２ に係止されるフック３ｂを設けたものとしている。
【００１９】
また、この考案の凸面状ミラーの取付け構造において、前記引張コイルばね３のフック３ａは、凸面状ミラーＡの球面板１の係止孔ｈ１ に係止部材４を介在させて係止するようにしている。
【００２０】
さらに、この考案の凸面状ミラーの取付け構造において、前記係止部材４は、頭部４ａの中央に軸部４ｂを突設したものとし、この軸部４ｂの先端に係止孔ｈ３ を設けたものとしており、凸面状ミラーＡの球面板１の係止孔ｈ１ に軸部４ｂを通して、この凸面状ミラーＡの球面板１を頭部４ａで止め、軸部４ｂの先端の係止孔ｈ３ に引張コイルばね３のフック３ａを係止するようにしている。
【考案の効果】
【００２１】
この考案の凸面状ミラーの取付け構造は、以上に述べたように構成されており、使用する凸面状ミラー自体が嵩張ったり、重量が増すことのないものとなり、Ｌ字路等のコーナー部の直交した二壁面に、取り付け易く、落下の危険性がないものとなる。
【００２２】
そして、この考案の凸面状ミラーの取付け構造は、Ｌ字路等のコーナー部の直交した二壁面の上方の天井との間に隙間が生じないように取り付けることができるので、塵や埃が溜まって汚れてしまうことがないものとなる。
【００２３】
さらに、この考案の凸面状ミラーの取付け構造は、凸面状ミラー側には一箇所の加工をするだけでよいので、その加工の手間が軽減され、しかも凸面状ミラーの取り付けが簡単に行なえるものとなる。
【００２４】
また、この考案の凸面状ミラーの取付け構造は、凸面状ミラーを取り付けた後も上下方向に少し移動させることができるので、ミラーの反射角度の微調整をすることができるものとなる。
【図面の簡単な説明】
【００２５】
【図１】この考案の凸面状ミラーの取付け構造に使用される凸面状ミラーと取付具の斜視図である。
【図２】この考案の凸面状ミラーの取付け構造を示す説明図である。
【図３】この考案の凸面状ミラーの取付け構造を示す平面図である。
【図４】この考案の凸面状ミラーの取付け構造の断面図である。
【図５】この考案の凸面状ミラーの取付け構造に使用される取付具の支持部材の他の例を示す斜視図である。
【図６】この考案の凸面状ミラーの取付け構造に使用される取付具の支持部材のさらに他の例を示す斜視図である。
【図７】従来の凸面状ミラーの取付け構造の一例を示す説明図である。
【図８】図７に示した従来の凸面状ミラーの取付け構造を示す断面図である。
【図９】従来の凸面状ミラーの取付け構造の他の例に使用される凸面状ミラーと取付具の斜視図である。
【図１０】図９に示した取付具をコーナー部の直交した二壁面に取り付ける状態を示す説明図である。
【図１１】図１０に示した取付具による凸面状ミラーの取り付け状態を示す断面図である。
【考案を実施するための形態】
【００２６】
以下、この考案の凸面状ミラーの取付け構造を実施するための形態を、図面に基づいて詳細に説明する。
【００２７】
この考案の凸面状ミラーの取付け構造に使用する凸面状ミラーＡは、八分の一球面体の凸面を鏡面とした球面板１からなるものとしており、この凸面状ミラーＡを取り付ける取付具Ｂは、支持部材２と引張コイルばね３と係止部材４とからなるものとしている（図１参照）。
【００２８】
そして、この考案の凸面状ミラーの取付け構造は、前記凸面状ミラーＡの三弧状端辺１ａ、１ｂ、１ｃのうちの一弧状端辺１ａ寄りの中央部に前記引張コイルばね３の一端を係止し、二壁面Ｗａ、Ｗｂが直交したコーナー部に、これら二壁面Ｗａ、Ｗｂを跨ぐようにして取り付けられる前記取付具Ｂの支持部材２に、前記引張コイルばね３の他端をバネ付勢を得た状態で係止し、前記凸面状ミラーＡの三弧状端辺１ａ、１ｂ、１ｃの他の二弧状端辺１ｂ、１ｃを前記二壁面Ｗａ、Ｗｂに接触させるようにしている。
【００２９】
前記凸面状ミラーＡは、球面板１を合成樹脂板からなるものとしており、三弧状端辺１ａ、１ｂ、１ｃのうちの一弧状端辺１ａ寄りの中央部に係止孔ｈ１ を設けたものとしており、さらにこの一弧状端辺１ａに外向きのフランジ５を設けたものとしている。なお、前記フランジ５は、凸面状ミラーＡの強度を補強するために設けられるものであり、必要に応じて、前記一弧状端辺１ａに内向きに設けたものとしてもよい。
【００３０】
前記取付具Ｂの支持部材２は、図１〜４に示したように、コーナー部の直交した二壁面Ｗａ、Ｗｂを跨ぐようにして、これら二壁面Ｗａ、Ｗｂに接する当て片２ａ、２ａを設けたものとしている。そして、前記当て片２ａ、２ａのそれぞれの両端に止め孔６を設け、これら止め孔６から二壁面Ｗａ、Ｗｂにネジをねじ込んだり、釘を打ち込んだりして、支持部材２を二壁面Ｗａ、Ｗｂに取り付けておけるようにしている。また、これら当て片２ａ、２ａ間には支持片２ｂを設けたものとし、さらにこの支持片２ｂに引張コイルばね３の係止孔ｈ２ を設けたものとしている。
【００３１】
前記支持部材２は、同図に示したように、長尺の金属板や合成樹脂板を略く字状に９０°折り曲げて当て片２ａ、２ａとし、この略く字状の当て片２ａ、２ａ間に掛け渡すように長尺の金属板や合成樹脂板からなる支持片２ｂを設けたものとし、この支持片２ｂの下端辺寄りの中央部に前記係止孔ｈ２ を設けたものとしている。なお、前記係止孔ｈ２ を支持片２ｂの下端辺寄りに設けたのは、後に述べるように、コーナー部の直交した二壁面Ｗａ、Ｗｂの上方に取り付けるような高所の作業において、引張コイルばね３を係止し易くするためである。
【００３２】
さらに、前記支持部材２は、図５に示したように、長尺の金属板や合成樹脂板の両端を内側に１３５°折り曲げて、その折り曲げた部分を当て片２ａ、２ａとし、折り曲げていない部分を支持片２ｂとしたものとし、この支持片２ｂの下端辺寄りの中央部に前記係止孔ｈ２ を設けたものとしてもよい。
【００３３】
また、前記支持部材２は、図６に示したように、長尺の金属板や合成樹脂板を略く字状に９０°折り曲げて当て片２ａ、２ａとし、この略く字状の当て片２ａ、２ａの下端辺から張り出すようにした金属板や合成樹脂板からなる支持片２ｂを設けたものとし、この支持片２ｂの端辺寄りの中央部に前記係止孔ｈ２ を設けたものとしてもよい。
【００３４】
前記引張コイルばね３は、前記凸面状ミラーＡと支持部材２をばね付勢を与えた状態で連結するものとしており、一端に前記凸面状ミラーＡの球面板１の係止孔ｈ１ に係止されるフック３ａを設け、他端に前記支持部材２の支持片２ｂの係止孔ｈ２ に係止されるフック３ｂを設けたものとしている。なお、前記引張コイルばね３のフック３ａは、凸面状ミラーＡの球面板１の係止孔ｈ１ に直接、係止することなく、次に述べる係止部材４を介在させて係止することもできる。
【００３５】
前記係止部材４は、図示したように、円形平板状の頭部４ａの中央に軸部４ｂを突設したものとし、この軸部４ｂに係止孔ｈ３ を設けたものとしており、前記凸面状ミラーＡの球面板１の係止孔ｈ１ に軸部４ｂを通して、この凸面状ミラーＡの球面板１を頭部４ａで止め、軸部４ｂの係止孔ｈ３ に前記引張コイルばね３のフック３ａを係止するようにしている。
【００３６】
以上に述べたようなこの考案の凸面状ミラーの取付け構造は、使用する凸面状ミラーＡが八分の一球面体の凸面を鏡面とした球面板１からなるので、凸面状ミラー自体が嵩張ったり、重量が増すことのないものとなり、Ｌ字路等のコーナー部の直交した二壁面Ｗａ、Ｗｂに、取り付け易く、落下の危険性がないものとなる。
【００３７】
そして、この考案の凸面状ミラーの取付け構造は、引張コイルばね３のバネ付勢を得た状態で、凸面状ミラーＡの二弧辺１ｂ、１ｃを二壁面Ｗａ、Ｗｂに接触させるようにしているため、凸面状ミラーＡを上下方向に少し移動させることができるので、凸面状ミラーの取付け後に、天井との間に隙間が生じたとしても、凸面状ミラーＡを上方向に移動させれば前記隙間が生じなくなり、隙間に塵や埃が入り込んで、凸面状ミラーＡの内側などにその塵や埃が溜まって汚れてしまうことはないものとなる。
【００３８】
さらに、この考案の凸面状ミラーの取付け構造は、凸面状ミラーＡの三弧状端辺１ａ、１ｂ、１ｃのうちの一弧状端辺１ａ寄りの中央部に係止孔ｈ１ を設けるという、一箇所だけの加工でよいので、その加工の手間が軽減され、しかも凸面状ミラーＡの取り付けが簡単に行なえるものとなる。
【００３９】
また、この考案の凸面状ミラーの取付け構造は、前記したように凸面状ミラーＡを上下方向に少し移動させることができるので、凸面状ミラーＡを取り付けた後も上下方向に移動させれば、凸面状ミラーＡの反射角度の微調整をすることができるものとなる。
【符号の説明】
【００４０】
１  球面板
１ａ  弧状端辺
１ｂ  弧状端辺
１ｃ  弧状端辺
２  支持部材
２ａ  当て片
２ｂ  支持片
３  引張コイルばね
３ａ  フック
３ｂ  フック
４  係止部材
４ａ  頭部
４ｂ  軸部
５  フランジ
Ａ  凸面状ミラー
Ｂ  取付具
ｈ１ 係止孔
ｈ２ 係止孔
ｈ３ 係止孔
Ｗａ  壁面
Ｗｂ  壁面
【図１】
0003191403.tif 000003
【図２】
0003191403.tif 000004
【図３】
0003191403.tif 000005
【図４】
0003191403.tif 000006
【図５】
0003191403.tif 000007
【図６】
0003191403.tif 000008
【図７】
0003191403.tif 000009
【図８】
0003191403.tif 000010
【図９】
0003191403.tif 000011
【図１０】
0003191403.tif 000012
【図１１】
0003191403.tif 000013